(57)【要約】【技術課題】  パイプシャフト内においてスペースを有効に利用しながらガスメータを設置し、かつ軽量で製作コストが安く、地震時に受ける建物の振動を正確にガスメータに伝えることができる自立式のガスメータ架台を提供する。【解決手段】  断面が正方形又は長方形の角パイプ製支柱３の下端に固定用ベース２をパイプシャフトの床にアンカーボルト５ａを用いて取り付けると共に前記支柱３の上部の正面側にガスメータユニット７を用いてガスメータ６を取り付ける。【選択図】図１
2011021985.tif 000002
【特許請求の範囲】
【請求項１】
断面が正方形又は長方形の角パイプ製支柱の下端に固定用ベースを取り付けると共に前記支柱の上部の正面側にガスメータを固定するためのガスメータ固定手段を備えて成る自立式ガスメータ架台。
【請求項２】
前記支柱に対し、ガスメータを複数取り付けることができるように構成して成る請求項１に記載の自立式ガスメータ架台。
【請求項３】
前記支柱の正面側の一部であって、前記ガスメータ固定手段が位置する部分より下方に、水道メータを固定するための水道メータ固定手段を備えて成る請求項１に記載の自立式ガスメータ架台。    
【発明の詳細な説明】
【技術分野】
【０００１】
本発明は、集合住宅のパイプ集合スペース（以下「パイプシャフト」という。）内にガスメータを設置する際に用いられる自立式ガスメータ架台に関するものである。
【背景技術】
【０００２】
戸建て住宅の場合、ガスメータは通常屋外に設置される。この例として、地中から立ち上げた出と入りのガス管の頂部にベント管等を用いてガスメータを吊り下げるように取り付けるのが一般的である。
【０００３】
また、特開２００８−０７０１６０号及び特開２００１−１４１５４２号公報に紹介されているガスメータ支持装置のように、メータの出側にフレキシブル管が用いられる例においては、建物の壁面に取付金具を用いてガスメータを取り付けるようにしている。しかし、パイプシャフト内の壁面には強度上の問題からガスメータの取り付けが禁じられているケースもある。
【０００４】
一方、マンション等の集合住宅の場合には、共用廊下に面した位置にパイプシャフトが設けられていて、このパイプシャフト内にガスメータを設置するようになっている。
【０００５】
しかし、このパイプシャフト内は非常に狭く、しかもこの狭いスペース内にはガス管ばかりでなく、水道管及び給湯配管等も存在し、ガスメータの設置スペースがとりにくかったり、設置工事がしにくいということがある。特に、ガス工事と水道工事は別々に行われ、然も統一したルール無しにそれぞれの工事が行われることから、工事が後になるとメータの設置位置やその向きに制約が発生して、例えば視認検針がしずらいといった問題が発生する場合がある。
【０００６】
このような問題を解消する目的で、特開平０９−０７２７７０号公報には、ガス管に対して水平方向に回動可能な固定金具を直接取り付けることによりガスメータの位置と方向に自由度を持たせた取付装置が紹介されている。
【０００７】
しかし、この公知例の場合、建物を縦に貫通するガス管に直接ガスメータを取り付けているため、ガス管に負荷がかかると共に、ガスメータの場合、その内部に感震器が組み込まれていることから、ガス管に直接ガスメータが取り付けられていると、建物の揺れとガス管の揺れに差が生じ、誤作動の心配がある。
【０００８】
この問題を解消する目的で、ガスメータの架台としてパイプシャフトの床に山形鋼および平鋼を組み合わせ、溶接により門形に組み上げたものを固定し、これにガスメータを取り付けているが、この架台は、集合住宅ごとに現場の状況に合わせた手造りの場合が多く、製作にコストがかかり、然も重量もあることから、高層の集合住宅のように戸数が多いと建物の強度計算にも影響が出たりするという問題がある。
【０００９】
また、このような山形鋼や平鋼を使用せず、ベースの上に１本の円柱を立てただけの架台も一部に利用されているが、この例の場合、製作コストは安いが、ガスメータが不安定になり易く、また建物の揺れとガスメータの揺れとの間に誤差が生じたり、強度的にも不安が残るという問題がある。
【先行技術文献】
【特許文献】
【００１０】
【特許文献１】特開２００８−０７０１６０号公報
【特許文献２】特開２００１−１４１５４２号公報
【特許文献３】特開平０９−０７２７７０号公報
【発明の概要】
【発明が解決しようとする課題】
【００１１】
本発明の課題は、狭いパイプシャフト内においてそのスペースを有効に利用しながらガスメータを設置することができる自立式の架台を提供することである。
【００１２】
更に、地震時において、ガスメータが受ける揺れと建物の揺れとの間に差が生じないように構成して感震器が誤作動しない架台を提供することである。
【００１３】
更に、軽量で製作コストが安く、強度的にも優れた架台を提供することである。
【００１４】
更に、ガスメータ以外に水道メータを設置することができる架台を提供することである。
【課題を解決するための手段】
【００１５】
上記した課題を解決するため、請求項１に記載の発明は、ガスメータ架台において、断面が正方形又は長方形の角パイプ製支柱の下端に固定用ベースを取り付けると共に前記支柱の上部の正面側にガスメータを固定するためのガスメータ固定手段を備えて成ることを特徴としたものである。
【００１６】
また、請求項２に記載の発明は、請求項１に記載のガスメータ架台において、支柱に対して複数のガスメータを取り付けることができるように構成して成ることを特徴とするものである。
【００１７】
また、請求項３に記載の発明は、請求項１に記載のガスメータ架台において、支柱の正面側の一部であって、前記ガスメータ固定手段が位置する部分より下方に、水道メータを固定するための水道メータ固定手段を備えて成ることを特徴とするものである。
【発明の効果】
【００１８】
上記した本発明によると、次の効果を奏することができる。
１．架台の支柱は、角パイプで出来ているため、撓みが生じにくく、地震時における建物の揺れが正確にこの支柱を経由してガスメータに伝わり、誤作動の心配がない。
２．支柱を角パイプで構成したため、軽量で製作コストが安く、然も強度的に優れていることから、１本の支柱に対してガスメータを複数取り付けることができる。
３．１本の角パイプで支柱を構成しているため、ガスメータの下方には水道メータを取り付けることもでき、この結果、特にパイプシャフト内において縦方向のスペースを有効に利用することができる。
【図面の簡単な説明】
【００１９】
【図１】本発明に係る架台とガスメータ及びガスメータ取付金具の説明図である。
【図２】Ａ−Ａ’線拡大断面図である。
【図３】本発明に係る架台にガスメータを取り付けた状態の説明図である。
【図４】本発明に係る架台にガスメータと水道メータを取り付けた状態の説明図である。
【図５】実施例の架台とガスメータの取付状況における各部の寸法を示す説明図である。
【図６】実施例の架台で行った振動試験の結果を表す比較グラフである。
【発明を実施するための形態】
【００２０】
本発明に係るガスメータの架台は、パイプシャフト内のみならず、パイプシャフト外においても用いることができる。架台は、全体が金属製であって、支柱となる角パイプは、既成のものを所定の長さに切断して利用することにより、コストの低減が可能である。
【００２１】
架台は、パイプシャフト内の床にアンカーボルト等を用いて支柱が垂直に立つようにベースを固定する。
【実施例】
【００２２】
図１は、本発明に係る架台であって、この架台１は、平板状の固定用ベース２上に図２に示す断面構造の角パイプから成る支柱３の下端を溶接し、頭頂部を閉塞し、かつ頭頂部に近い位置に備えたガスメータ取付手段としてのタップ穴４が備えられている。図３において、５は固定用ベース２に備えられたアンカーボルト５ａが通るボルト穴である。なお、前記支柱３の頭頂部は、性能上からは必ずしも閉塞する必要はないが、ゴミ等が支柱３内に入るのを防ぐために、閉塞するのが良い。
【００２３】
６はガスメータであって、このガスメータ６は、出と入りのベント管８、９と取付金具１０から成るガスメータ取付ユニット７を介して前記支柱３のビス穴４にビス１１を用いて取り付けられる。
【００２４】
図中１２はガスメータ６の入側口金、１３は出側口金、１４は入側ユニオン、１５は出側ユニオンであって、ガスメータ６の入側と出側の口金１２、１３はこのユニオン１４、１５にそれぞれ接続される。
【００２５】
上記構成の架台１にガスメータ６を取り付けた例を示すのが図３であって、架台１は、アンカーボルト５ａを用いてパイプシャフトの床に固定される。
【００２６】
この時、ガスメータ６の取付ユニット７は支柱３にあらかじめ取り付けておいても良いし、架台１を固定した後で取り付けても良い。
【００２７】
ガスメータ６は、その後口金１２、１３にユニオン１４、１５を接続することにより取り付けられる。なお、図３において、ガスメータ６に入る入側ガス管と出側ガス管は省略されている。
【００２８】
以上に説明したガスメータ６の取り付け仕様を図５を用いて表１及び表２に示す。
【表１】
2011021985.tif 000003
【表２】
2011021985.tif 000004
【００２９】
なお、本実施例では、支柱３に１基のガスメータ６を取り付けているが、一つのパイプシャフトが複数戸共用の場合には、支柱３に対して縦列に２基又は３基のガスメータ６を、あるいは支柱３に水平バーを十字状に固定し、この水平バーに２基又は３基のガスメータ６を取り付けるようにしても良い。
【００３０】
図６は、加振装置に直接ガスメータ６を固定した場合と、従来の山形鋼と平鋼を組み合わせた１２００ｍｍ高さの架台（門型モデル）と本発明の実施例の架台にガスメータ６をそれぞれ取り付けて、加振試験装置（株式会社振研製Ｇ−３０４０）を用いて行った振動試験の結果を示すものである。
【００３１】
この結果から、加振装置に直接ガスメータを取り付けて行った場合と、本発明の架台１に取り付けて行った場合とには、感振器作動ガル値には殆ど差は無いが、従来の山形鋼と平鋼を組み合わせた門型の架台の場合においては振動の方向によっては大きな差が生じていることが解る。
【００３２】
図４は、請求項３に記載の発明に対応するもので、本発明の架台１においてガスメータ６の下方に水道メータ１６を取付金具１７、ねじ軸１８、ナット１９を用いて取り付ける例である。
【図１】
2011021985.tif 000005
【図２】
2011021985.tif 000006
【図３】
2011021985.tif 000007
【図４】
2011021985.tif 000008
【図５】
2011021985.tif 000009
【図６】
2011021985.tif 000010